(57)【要約】【課題】電子ズームにて撮影した画像を撮影確認時に所定量だけ広く表示し、その範囲にて、記録画像領域を選択することができる撮像装置を提供する。【解決手段】撮像素子からの出力に基づく撮影画像を表示する表示手段（画像表示部２８）と、撮影画像の記録を指示する指示手段（操作部７４）と、撮影画像の表示の範囲を決定する決定手段（システム制御回路５０、操作部７４）とを備える。また、指示手段による記録の指示に伴って、表示手段に当該指示の前に表示していた第１の画角の範囲よりも大きい第２の画角の範囲の画像を表示する制御手段（システム制御回路５０）を備える。【選択図】図１
2008227871.tif 000002
【特許請求の範囲】
【請求項１】
撮像素子からの出力に基づく撮影画像を表示する表示手段と、
撮影画像の記録を指示する指示手段と、
撮影画像の表示の範囲を決定する決定手段と、
前記指示手段による記録の指示に伴って、前記表示手段に当該指示の前に表示していた第１の画角の範囲よりも大きい第２の画角の範囲の画像を表示する制御手段と、
を備えることを特徴とする撮像装置。
【請求項２】
撮像装置の傾きを検知する傾き検知手段と、
前記傾き検知手段により検知された傾き情報に基づき傾きを補正する傾き補正手段と、
を備えることを特徴とする請求項１記載の撮像装置。
【請求項３】
前記決定手段は、記録する撮影画像の大きさに基づき撮影画像の表示の範囲を決定することを特徴とする請求項１または２記載の撮像装置。
【請求項４】
前記決定手段は、電子ズームに移行する際の焦点距離に基づき撮影画像の表示の範囲を決定することを特徴とする請求項１または２記載の撮像装置。
【請求項５】
前記決定手段は、撮影の際のブレ補正に基づき撮影画像の表示の範囲を決定することを特徴とする請求項１または２記載の撮像装置。
【請求項６】
撮像素子からの出力に基づく撮影画像を表示する表示ステップと、
撮影画像の記録を指示する指示ステップと、
撮影画像の表示の範囲を決定する決定ステップと、
前記指示ステップによる記録の指示に伴って、前記表示ステップに当該指示の前に表示していた第１の画角の範囲よりも大きい第２の画角の範囲の画像を表示する制御ステップと、
を備えることを特徴とする撮像装置の制御方法。
【請求項７】
撮像素子からの出力に基づく撮影画像を表示する表示ステップと、
撮影画像の記録を指示する指示ステップと、
撮影画像の表示の範囲を決定する決定ステップと、
前記指示ステップによる記録の指示に伴って、前記表示ステップに当該指示の前に表示していた第１の画角の範囲よりも大きい第２の画角の範囲の画像を表示する制御ステップと、
を備える撮像装置の制御方法をコンピュータに実行させるプログラム。
【請求項８】
請求項７記載のプログラムを格納するコンピュータで読み取り可能な記憶媒体。
【発明の詳細な説明】
【技術分野】
【０００１】
本発明は、撮像装置及びその制御方法、並びにプログラム及び記憶媒体に関する。
【背景技術】
【０００２】
従来、撮像装置において、電子ズーム時にズーム範囲手段により設定された画角よりも、少なくとも広い範囲を記録するという技術がある（例えば特許文献１参照）。
【特許文献１】特開２００５−１２４２３号公報
【発明の開示】
【発明が解決しようとする課題】
【０００３】
しかし、上記従来技術では、ユーザが、所望の画角で記録できないという問題がある。即ち、電子ズームで撮影した場合、手ブレなどにより高倍率であればあるほど所望の画角で撮影できないという問題がある。
【０００４】
本発明の目的は、ユーザが記録領域を任意に設定することができる撮像装置及びその制御方法、並びにプログラム及び記憶媒体を提供することにある。
【課題を解決するための手段】
【０００５】
上記目的を達成するために、請求項１記載の撮像装置は、撮像素子からの出力に基づく撮影画像を表示する表示手段と、撮影画像の記録を指示する指示手段と、撮影画像の表示の範囲を決定する決定手段と、前記指示手段による記録の指示に伴って、前記表示手段に当該指示の前に表示していた第１の画角の範囲よりも大きい第２の画角の範囲の画像を表示する制御手段とを備えることを特徴とする。
【０００６】
請求項６記載の撮像装置の制御方法は、撮像素子からの出力に基づく撮影画像を表示する表示ステップと、撮影画像の記録を指示する指示ステップと、撮影画像の表示の範囲を決定する決定ステップと、前記指示ステップによる記録の指示に伴って、前記表示ステップに当該指示の前に表示していた第１の画角の範囲よりも大きい第２の画角の範囲の画像を表示する制御ステップとを備えることを特徴とする。
【０００７】
請求項７記載のプログラムは、撮像素子からの出力に基づく撮影画像を表示する表示ステップと、撮影画像の記録を指示する指示ステップと、撮影画像の表示の範囲を決定する決定ステップと、前記指示ステップによる記録の指示に伴って、前記表示ステップに当該指示の前に表示していた第１の画角の範囲よりも大きい第２の画角の範囲の画像を表示する制御ステップとを備える撮像装置の制御方法をコンピュータに実行させる。
【０００８】
請求項８記載のコンピュータで読み取り可能な記憶媒体は、請求項７記載のプログラムを格納する。
【発明の効果】
【０００９】
本発明によれば、撮影時の画角より所定量だけ広い画角からユーザが任意に記録画角を選択することが可能となる。また、撮像装置を傾けて撮影した場合は、傾きを補正した画像から記録画角を選択することができる。
【発明を実施するための最良の形態】
【００１０】
以下、本発明の実施の形態を図面を参照しながら詳細に説明する。
【００１１】
図１は、本発明の実施の形態に係る撮像装置の全体構成を示すブロック図である。
【００１２】
図１において、本実施の形態の撮像装置１００は、システム制御回路５０を中心に以下の構成要素を備える。以下、その構成要素を動作と併せて説明する。
【００１３】
撮影レンズ１０は、固定レンズ１１、変倍レンズ１２Ａ、補正レンズ１２Ｂ、及びフォーカスレンズ１３とで構成される４群型インナーフォーカス式ズームレンズである。変倍レンズ１２Ａと補正レンズ１２Ｂは、図示はしないが、カム機構により、両者の位置関係が規制されながら光軸に沿って移動し、焦点距離を変更するように構成されている。これら変倍レンズ１２Ａと補正レンズ１２Ｂは、ズームレンズ１２とする。
【００１４】
シャッターユニット１４は、絞り機構とシャッター機構を備える。固体撮像素子１５は、光学像を電気信号に変換する。Ａ／Ｄ変換回路１６は、固体撮像素子１５から出力されるアナログの画像信号をディジタルの画像データに変換する。
【００１５】
タイミング発生回路１８は、固体撮像素子１５、 Ａ／Ｄ変換回路１６、Ｄ／Ａ変換回路２６等にクロック信号や制御信号を供給し、メモリ制御回路２２及びシステム制御回路５０により制御される。画像処理回路２０は、Ａ／Ｄ変換回路１６からの画像データ、或いはメモリ制御回路２２からの画像データに対して所定の画素補間処理や色変換処理を行う。
【００１６】
また、画像処理回路２０においては、撮影して得られた画像データを用いて所定の演算処理を行い、得られた演算結果に基づいてシステム制御回路５０が、露光制御回路４０及び測距制御回路４２を制御する。これにより、ＴＴＬ（スルー・ザ・レンズ）方式のＡＦ（オートフォーカス）処理、ＡＥ（自動露出）処理及びＥＦ（フラッシュプリ発光）処理を行う。
【００１７】
測距制御回路４２にて使用されるＡＦ評価値の算出は以下のように行う。画像処理回路２０において、Ａ／Ｄ変換回路１６から入力される画像データの高周波成分を抽出する。そしてその画像データの高周波成分の絶対値を求め、その絶対値データを所定領域内にて積算したデータがＡＦ評価値とされる。
【００１８】
さらに、画像処理回路２０においては、撮影して得られた画像データを用いて所定の演算処理を行い、得られた演算結果に基づいてＴＴＬ方式のＡＷＢ（オートホワイトバランス）処理も行う。
【００１９】
メモリ制御回路２２は、Ａ／Ｄ変換回路１６、タイミング発生回路１８、画像処理回路２０、画像表示メモリ回路２４、Ｄ／Ａ変換回路２６、メモリ回路３０、圧縮伸長回路３２等を制御する。
【００２０】
Ａ／Ｄ変換回路１６から出力される画像データが画像処理回路２０、メモリ制御回路２２を介し、或いはＡ／Ｄ変換回路１６からの画像データが直接メモリ制御回路２２を介して、画像表示メモリ回路２４或いはメモリ回路３０に書き込まれる。
【００２１】
画像表示部２８はＴＦＴ型ＬＣＤ等からなる。画像表示メモリ回路２４に書き込まれた表示用の画像データはＤ／Ａ変換回路２６を介し、画像表示部２８により表示される。
【００２２】
画像表示部２８を用いて撮影した画像データを逐次表示すれば、電子ビューファインダ機能を実現することが可能である。また画像処理回路２０で作成されたヒストグラムを表示することも可能である。
【００２３】
画像表示部２８は、システム制御回路５０の指示により任意に表示をオン／オフすることが可能であり、表示をオフにした場合には撮像装置１００の電力消費を大幅に低減することができる。
【００２４】
メモリ回路３０は、撮影した静止画像データや動画像データを格納するためのものであり、所定枚数の静止画像データや所定時間の動画像データを格納するのに十分な記憶容量を備えている。また、メモリ回路３０は、システム制御回路５０の作業領域としても使用することが可能である。
【００２５】
圧縮伸長回路３２は、適応離散コサイン変換（ＡＤＣＴ）等により画像データを圧縮伸長するものであり、メモリ回路３０に格納された画像データを読み込み、圧縮処理或いは伸長処理を行い、処理を終えた画像データをメモリ回路３０に書き込む。
【００２６】
露光制御回路４０は、絞り機構とシャッター機構を有するシャッターユニット１４を制御するものであり、フラッシュ４０４と連携することによりフラッシュ調光機能も有するものである。
【００２７】
測距制御回路４２はフォーカスレンズ１３を制御する。露光制御回路４０、測距制御回路４２は、ＴＴＬ方式を用いて制御されている。ズーム制御回路４４はズームレンズ１２を制御する。
【００２８】
コネクタ４８はアクセサリシューとも呼ばれ、フラッシュ装置４００との電気接点や機械的な固定手段も合わせて備えている。フラッシュ装置４００は、フラッシュ４０４が、コネクタ４０２とコネクタ４８を介して制御される構成とされている。フラッシュ装置４００はＡＦ補助光の投光機能、フラッシュ調光機能も有する。
【００２９】
システム制御回路５０は撮像装置１００全体を制御する。メモリ回路５２は、システム制御回路５０の動作用の定数、変数、プログラム等を記憶する。表示部５４は、システム制御回路５０でのプログラムの実行に応じて、文字、画像、音声等を用いて動作状態やメッセージ等を表示する液晶表示装置、スピーカー等を備える。
【００３０】
表示部５４は、撮像装置１００の操作部近辺の視認し易い位置に単数或いは複数個所設置され、例えばＬＣＤやＬＥＤ、発音素子等の組み合わせにより構成される。また、表示部５４は、その一部の機能が光学ビューファインダ１０４内に設置されている。
【００３１】
表示部５４の表示内容のうち、ＬＣＤ等に表示するものとしては、シングルショット／連写撮影表示、セルフタイマ表示、圧縮率表示、画像サイズ表示、記録枚数表示、残撮影可能枚数表示、シャッタースピード表示、絞り値表示、露出補正表示等がある。さらに、フラッシュ表示、赤目緩和表示、マクロ撮影表示、ブザー設定表示、時計用電池残量表示、電池残量表示、エラー表示、複数桁の数字による情報表示、記録媒体２００の着脱状態表示、通信Ｉ／Ｆ動作表示、日付・時刻表示等がある。
【００３２】
また、表示部５４の表示内容のうち、光学ビューファインダ１０４内に表示するものとしては、合焦表示、手振れ警告表示、フラッシュ充電表示、シャッタースピード表示、絞り値表示、露出補正表示等がある。
【００３３】
不揮発性メモリ回路５６は、電気的に消去記録可能であり、例えばＥＥＰＲＯＭ等が用いられる。この不揮発性メモリ回路５６には、ユーザが設定した情報や、後述する撮影画像に対して所定量広い範囲を表示するための所定量などが格納されている。
【００３４】
所定量とは、後述する画角変更記録操作を行う際に最適と撮像装置メーカが判断した画素数である。この所定量をユーザが変更することも可能である。この所定量は、電子ズーム倍率、電子ズームに移行することのできる焦点距離、ブレ補正の状態毎に記録されている。
【００３５】
傾き検知回路５７は撮像装置１００の傾き状態を検知する。操作手段６０、６２、６４、６６、及び７２は、システム制御回路５０の各種の動作指示を入力する。スイッチやダイアル、タッチパネル、視線検知によるポインティング、音声認識装置等の単数或いは複数の組み合わせで構成される。
【００３６】
次に、これらの操作手段の具体的な構成の説明を行う。
【００３７】
モードダイアル６０は、電源オフ、自動撮影モード、撮影モード、パノラマ撮影モード、再生モード、マルチ画面再生・消去モード、等の各機能モードを切り替えて設定することができる。また、シャッタースイッチ６２（ＳＷ１）は、不図示のシャッターボタンの操作途中（半押し込み）でオンとなる。そしてＡＦ処理、ＡＥ処理、ＡＷＢ処理、ＥＦ処理等の動作開始を指示する。
【００３８】
さらに、シャッタースイッチ６４（ＳＷ２）は、不図示のシャッターボタンの操作完了（全押し込み）でオンとなる。シャッタースイッチＳＷ２がオンとなると、固体撮像素子１５から読み出した信号をＡ／Ｄ変換回路１６、メモリ制御回路２２を介してメモリ回路３０に画像データを書き込む露光処理、画像処理回路２０等が動作を開始する。
【００３９】
さらに、メモリ制御回路２２での演算を用いた現像処理、メモリ回路３０から画像データを読み出し、圧縮伸長回路３２で圧縮を行い、記録媒体２００に画像データを書き込む記録処理という一連の処理の動作開始を指示する。
【００４０】
画像表示オン／オフスイッチ６６は、画像表示部２８のオン／オフを設定することができる。この機能により、光学ビューファインダ１０４を用いて撮影を行う際に、ＴＦＴ型ＬＣＤ等からなる画像表示部２８への電流供給を遮断することにより、省電力を図ることが可能となる。
【００４１】
メニュースイッチ７２を押すことから、メニュー画面に入り、各機能のオン、オフ切り替えや、撮影設定のパラメータの選択を行う。このメニュー画面にて操作性パラメータテーブルの選択も行うことができる。
【００４２】
各種ボタンやタッチパネル等からなる操作部７４は、セットボタン、キャンセルボタン、マクロボタン、マルチ画面再生改ページボタン、フラッシュ設定ボタン、単写／連写／セルフタイマ切り替えボタン等の機能を備える。
【００４３】
また、メニュー移動＋（プラス）ボタン、メニュー移動−（マイナス）ボタン、再生画像移動＋（プラス）ボタン、再生画像−（マイナス）ボタン等の機能も備える。また、撮影画質選択ボタン、露出補正ボタン、日付／時間設定ボタン、パノラマモード等の撮影及び再生を実行する際に各種機能の選択及び切り替えを設定する選択／切り替えボタン等の機能を備える。
【００４４】
また、記録個所移動のための上下、左右移動ボタン、記録個所サイズ変更のための拡大、縮小ボタン等の機能を備える。また、パノラマモード等の撮影及び再生を実行する際に各種機能の決定及び実行を設定する決定／実行ボタン、画像表示部２８のオン／オフを設定する画像表示オン／オフスイッチ等の機能も備える。
【００４５】
また、撮影直後に撮影した画像データを自動再生するレックレビュー機能を設定するレックレビューオン／オフスイッチ、画像サイズを設定する画像サイズ選択スイッチ等も備える。さらにまた、ＪＰＥＧ圧縮の圧縮率を選択する、或いは固体撮像素子１５の信号をそのままディジタル化して記録媒体に記録するＣＣＤＲＡＷモードを選択するためのスイッチである圧縮モードスイッチを備える。
【００４６】
さらに、再生モード、マルチ画面再生・消去モード、ＰＣ接続モード等の各機能モードを設定することができる再生モードスイッチ等も備える。また、撮影モード状態において、撮影した画像をメモリ回路３０或いは記録媒体２００から読み出して画像表示部２８によって表示する再生動作の開始を指示する再生スイッチ、撮影した画像の消去を行う画像消去スイッチ等も備えられる。
【００４７】
電源制御回路８０は、電池検出回路、ＤＣ−ＤＣコンバータ、通電するブロックを切り替えるスイッチ回路等により構成される。そして、電池の装着の有無、電池の種類、電池残量の検出を行い、検出結果及びシステム制御回路５０の指示に基づいてＤＣ−ＤＣコンバータを制御し、必要な電圧を必要な期間、記録媒体２００を含む各部へ供給する。
【００４８】
電源８６は、アルカリ電池やリチウム電池等の一次電池や、ＮｉＣｄ電池、ＮｉＭＨ電池、Ｌｉ電池等の二次電池、ＡＣアダプタ等からなる。電源制御回路８０と電源８６はコネクタ８２、８４で接続される。
【００４９】
インタフェース９０は、メモリカードやハードディスク等の記録媒体２００とシステム制御回路５０を仲介する。コネクタ９２は記録媒体２００と接続を行う。記録媒体着脱検知回路９８は、コネクタ９２に記録媒体２００が装着されているか否かを検知する。
【００５０】
なお、本実施の形態では、記録媒体２００を取り付けるインタフェース及びコネクタを１系統として説明している。もちろん、記録媒体２００を取り付けるインタフェース及びコネクタは、単数或いは複数、いずれの系統数を備える構成としても構わない。また、異なる規格のインタフェース及びコネクタを組み合わせて備える構成としても構わない。
【００５１】
インタフェース及びコネクタとしては、ＰＣＭＣＩＡカードやＣＦ（コンパクトフラッシュ（登録商標））カード等の規格に準拠したものを用いて構成して構わない。
【００５２】
さらに、インタフェース９０、そしてコネクタ９２をＰＣＭＣＩＡカードやＣＦ（コンパクトフラッシュ（登録商標））カード等の規格に準拠したものを用いて構成することができる。これにより、ＬＡＮカードやモデムカード、ＵステップＳＢカード、ＩＥＥＥ１３９４カード、Ｐ１２８４カード、ステップＳＣステップＳＩカード、ＰＨステップＳ等の通信カード、等の各種通信カードを接続することが可能となる。従って、他のコンピュータやプリンタ等の周辺機器との間で画像データや画像データに付属した管理情報を転送し合うことができる。
【００５３】
光学ビューファインダ１０４は、画像表示部２８による電子ビューファインダ機能を使用することなしに、光学ビューファインダ１０４のみを用いて撮影を行うことが可能である。また、光学ビューファインダ１０４内には、表示部５４の一部の機能、例えば、合焦表示、手振れ警告表示、フラッシュ充電表示、シャッタースピード表示、絞り値表示、露出補正表示等が設置されている。
【００５４】
通信回路１１０は、ＲＳ２３２ＣやＵＳＢ、ＩＥＥＥ１３９４、Ｐ１２８４、ＳＣＳＩ、モデム、ＬＡＮ、無線通信等の各種通信機能を有する。符号１１２は、通信回路１１０により撮像装置１００を他の機器と接続するコネクタ或いは無線通信の場合はアンテナである。
【００５５】
メモリカードやハードディスク等の記録媒体２００は、半導体メモリや磁気ディスク等から構成される記録部２０２、撮像装置１００とのインタフェース２０４、撮像装置１００と接続を行うコネクタ２０６を備えている。
【００５６】
図２（図２Ａ、図２Ｂ）は、図１の撮像装置によって実行される全体制御処理の手順を示すフローチャートである。
【００５７】
本処理は、図１におけるシステム制御回路５０によって実行される。
【００５８】
図２Ａにおいて、まず、電池交換等の電源投入により、システム制御回路５０はフラグや制御変数等を初期化し（ステップＳ１０１）、画像表示部２８の画像表示をオフ状態に初期設定する（ステップＳ１０２）。
【００５９】
システム制御回路５０は、モードダイアル６０の設定位置を判断し、モードダイアル６０が電源オフに設定されていたならば（ステップＳ１０３）、各表示部の表示を終了状態に変更する。
【００６０】
そして、フラグや制御変数等を含む必要なパラメータや設定値、設定モードを不揮発性メモリ５６に記録する。さらに、電源制御回路８０により画像表示部２８を含む撮像装置１００各部の不要な電源を遮断する等の所定の終了処理を行った後（ステップＳ１０５）、ステップＳ１０３に戻る。
【００６１】
モードダイアル６０が撮影モードに設定されていたならば（ステップＳ１０３）、ステップＳ１０６に進む。
【００６２】
モードダイアル６０がその他のモードに設定されていたならば（ステップＳ１０３）、システム制御回路５０は、選択されたモードに応じた処理を実行し（ステップＳ１０４）、処理を終えたならばステップＳ１０３に戻る。
【００６３】
システム制御回路５０は、電源制御回路８０により電源８６の残容量や動作情況が撮像装置１００の動作に問題があるか否かを判断する（ステップＳ１０６）。ここで、問題があるならば表示部５４を用いて画像や音声により所定の警告表示を行った後に（ステップＳ１０８）、ステップＳ１０３に戻る。
【００６４】
電源８６に問題が無いならば（ステップＳ１０６でＹＥＳ）、システム制御回路５０は記録媒体２００の動作状態が撮像装置１００の動作、特に記録媒体２００に対する画像データの記録再生動作に問題があるか否かを判断する（ステップＳ１０７）。ここで、問題があるならば表示部５４を用いて画像や音声により所定の警告表示を行った後に（ステップＳ１０８）、ステップＳ１０３に戻る。
【００６５】
記録媒体２００の動作状態に問題が無いならば（ステップＳ１０７でＹＥＳ）、ステップＳ１０９に進む。画像表示部２８を用いて撮影した画像データを表示し、電子ファインダをオンにし（ステップＳ１０９）、ステップＳ１１０に進む。
【００６６】
図２Ｂにおいて、撮影開始かを判断する（ステップＳ１１０）。撮影が開始されていない場合は、撮影開始判断（ステップＳ１１０）に戻る。撮影を開始する場合は、測距・測光処理を行う（ステップＳ１１１）。測距・測光処理（ステップＳ１１１）は、図３を用い、後述する。次に撮影処理を行う（ステップＳ１１２）。撮影処理（ステップＳ１１２）は、図４を用い後述する。
【００６７】
撮影終了後、レックレビューを行うモードであるか否かを判断する（ステップＳ１１３）。レックレビューモードのオン／オフ設定は、操作部７４にあるレックレビュースイッチにて切り替え、もしくはカメラ設定メニューにて切り替えを行うことが可能である。レックレビューモードで無い場合は、撮影開始判断（ステップＳ１１０）に戻る。
【００６８】
レックレビューモードの場合は、次に撮影した画像が電子ズームでの撮影画像か否かを判断する（ステップＳ１１４）。電子ズームでの撮影画像で無い場合は、画像表示部２８に、画像表示メモリ回路２４に書き込まれている撮影した画像の表示用データを表示する（ステップＳ１１５）。
【００６９】
電子ズームでの撮影画像の場合は、次に撮影画角確認モードか否かを判断する（ステップＳ１１６）。撮影画角確認モードで無い場合は、画像表示部２８に、画像表示メモリ回路２４に書き込まれている撮影した画像の表示用データを表示する（ステップＳ１１５）。
【００７０】
画像表示メモリ回路２４に書き込まれている撮影した画像の表示データを表示した場合は、次にレックレビューをロックする操作が行われたか否か否かの判断を行う（ステップＳ１１７）。
【００７１】
レックレビューをロックする操作は、レックレビュー中に、操作部７４にあるセットボタンを押す、もしくは画像表示オン／オフスイッチを押すことにより行うことができる。レックレビューロック操作が行われた場合は、レックレビューをロックする（ステップＳ１１８）。
【００７２】
これにより、所定時間経過した後でもレックレビューを続けることが可能である。レックレビュー時間は、操作部７４にあるレックレビュースイッチにて切り替え、もしくはカメラ設定メニューにて切り替えを行うことが可能である。
【００７３】
次にレックレビューロックが解除されたか否か否かの判断を行う（ステップＳ１１９）。レックレビューロック解除操作は、シャッタースイッチ６２（ＳＷ１）を操作することにより行うことができる。レックレビューロック解除操作が行われた場合は、レックレビュー画像表示を画像表示部２８から消し（ステップＳ１２０）、撮影開始の判断（ステップＳ１１０）に戻る。
【００７４】
レックレビューロック操作が行われなかった場合は、次に、設定しているレックレビュー時間が経過しているか否か否かの判断を行う（ステップＳ１２１）。レックレビュー時間が経過していない場合は、レックレビューロック操作の判断（ステップＳ１１７）に戻る。レックレビュー時間が経過している場合は、レックレビュー画像表示を画像表示部２８から消し（ステップＳ１２０）、撮影開始の判断（ステップＳ１１０）に戻る。
【００７５】
撮影画角確認モードの場合は（ステップＳ１１６でＹＥＳ）、画像表示部２８に、撮影時に画像表示部２８に表示されていた画像より所定量広い画角での画像を表示する（ステップＳ１２２）。この時の画像表示部２８については、図４を用いて後述する。
【００７６】
撮影時に画像表示部２８へ表示していた部分以外の部分はグレーアウトし、所定量の部分が分かるように表示する。本実施の形態ではグレーアウトとするが、所定量の部分が分かる表示であれば、形式はもちろん問わない。
【００７７】
この所定量は、撮影時の電子ズーム倍率や、電子ズームに移行する際の焦点距離、ブレ補正処理の状態などにより決定される。それぞれの状態に基づく所定量は予め不揮発性メモリ回路５６に記録されている。この所定量は撮影時の電子ズームが高倍率の場合は多く、より広い領域が表示される。
【００７８】
また、電子ズームに移行する際の焦点距離が長い場合も、所定量は多くより広い領域が表示される。さらに、ブレ補正処理が無い場合も、所定量は多くより広い領域が表示される。様々な要因から所定量は決定されるが、電子ズーム倍率、電子ズームに移行する際の焦点距離、ブレ補正処理の状態から判断される所定量のうち最大の量を選ぶ。
【００７９】
次に、記録画像を変更するための操作が行われた否か否かの判断を行う（ステップＳ１２３）。撮影画角確認画像が表示されている間に、操作部７４にあるセットボタンを押すことにより、記録画像変更操作用の画像が画像表示部２８に表示され、その画面にて記録画像を変更することができる。
【００８０】
記録画像を変更するための操作が行われなかった場合は、次に設定しているレックレビュー時間が経過しているか否かの判断を行う（ステップＳ１２４）。レックレビュー時間が経過していない場合は、記録画像を変更するための操作が行われたか否かの判断（ステップＳ１２３）に戻る。レックレビュー時間が経過している場合は、レックレビュー画像表示を画像表示部２８から消し（ステップＳ１２０）、撮影開始の判断（ステップＳ１１０）に戻る。
【００８１】
記録画像を変更するための操作が行われた場合は、記録画像変更を行う（ステップＳ１２５）。記録画像変更操作については、図３及び図４を用いて後述する。記録画像変更操作が終了したならば、レックレビュー画像表示を画像表示部２８から消し（ステップＳ１２０）、撮影開始の判断（ステップＳ１１０）に戻る。
【００８２】
図３は、図２のステップＳ１２５で実行される記録画像変更操作処理の第１の手順を示すフローチャート、図４（図４（ａ）乃至図４（ｆ））は、図３のフローチャートにおける記録画像変更操作処理時の図１における画像表示部の表示画面を示す図である。
【００８３】
撮影画角確認モードの場合、例えば、記録時の画像表示部２８が図４（ａ）の状態で撮影されると、電子ズーム画角、電子ズームに移行する際の焦点距離、ブレ補正処理の状態に基づき、レックレビューでは、図４（ｂ）のように表示される。符号４０は、後述する記録画像領域である。
【００８４】
レックレビューが表示されている間の、記録画像領域４０１を変更するための操作により、画像表示部２８には図４（ｃ）のように操作のためのボタンが表示される。図４（ｃ）において、後述する全画面表示のための操作ボタン４０２と、後述する記録のための操作ボタン４０３が示される。
【００８５】
この画面において、ユーザは、記録画像変更操作を行う。記録画像変更操作は、操作部７４にある記録領域移動のための上下、左右移動ボタン、記録画像サイズ変更のための拡大、縮小ボタン操作により行う。
【００８６】
図３において、システム制御回路５０は、ユーザから記録画像変更操作が行われたか否かの判断を行う（ステップＳ３０１）。記録画像変更操作が行われた場合は、その操作に応じて記録画像領域を変更し（ステップＳ３０２）、記録画像をユーザに分かり易くするために変更した記録画像領域に応じて記録されない個所をグレーアウトして表示する（ステップＳ３０３）。
【００８７】
記録画像変更操作が行われていない場合は、現在の設定されている記録画像領域に応じて、記録されない個所をグレーアウトして表示する（ステップＳ３０３）。記録する位置を変更した画像が、図４（ｄ）であり、サイズも変更した場合の画像が図４（ｅ）である。図４（ｄ）の符号４０４は、記録する位置を変更した時の記録画像領域である。図４（ｅ）の符号４０５は、位置とサイズを変更した時の記録画像領域である。
【００８８】
次に、現在設定されている記録画像領域を記録する操作が行われたか否かの判断を行う（ステップＳ３０４）。記録操作はユーザが前述した記録操作のためのボタンを選択することにより行うことができる。
【００８９】
記録操作が行われた場合は、選択された領域の画像データを切り取り、メモリ回路３０へ保存する（ステップＳ３０５）。記録操作が行われなかった場合は、次に、全体画像を表示しているか否かの判断を行う（ステップＳ３０６）。全体画像とは、電子ズームを行っていない画角での画像のことである。
【００９０】
全体画像を表示すると図４（ｆ）のように表示される。符号４０６は、全画面表示を行った時の記録画像領域である。図４（ｆ）の符号４０７は後述する全画面表示から、所定量だけ広い画像に表示を戻すために使用されるボタンである。この画面上でも、もちろん記録画像変更操作を行うことができる。
【００９１】
その画面が、図４（ｆ）である。このように全体画像表示を行うとユーザは記録画像を、より広い範囲で選択することができる。図４（ｆ）の符号４０８は、位置とサイズを変更した時の記録画像領域である。
【００９２】
全体画像を表示していない場合は、全体画像表示操作が行われたか否かの判断を行う（ステップＳ３０７）。全体画面表示は、前述した全画面表示のための操作ボタンを、ユーザが選択することにより行われる。全体画像表示操作が行われた場合は、全体画像表示を行う（ステップＳ３０８）。全体画像表示操作が行われていない場合は、所定量広い画像表示を続ける（ステップＳ３０９）。
【００９３】
全体画像を表示している場合は、表示画像を所定量だけ広い画像へ戻す操作が行われたか否かの判断を行う（ステップＳ３１０）。この操作は前述した、所定量だけ広い画像へ戻すボタンを、ユーザが選択することにより行われる。戻す操作が行われた場合は、所定量広い画像を表示する（ステップＳ３０９）。元に戻す操作が行われなかった場合は、全体画像の表示を続ける（ステップＳ３１１）。
【００９４】
次に、記録画像変更操作終了が選択されたか否かの判断を行う（ステップＳ３１２）。記録画像変更操作終了が選択されていなければ、記録画像変更操作が行われたか否かの判断に戻る（ステップＳ３０１）。記録画像変更操作終了が選択されていれば、記録画像変更操作を終了する。
【００９５】
図５は、図２のステップＳ１１１で実行される測距・測光処理の手順を示すフローチャートである。
【００９６】
図５において、システム制御回路５０は、固体撮像素子１５から電荷信号を読み出し、Ａ／Ｄ変換回路１６を介して画像処理回路２０に撮影画像データを逐次読み込む（ステップＳ５０１）。この逐次読み込まれた画像データを用いて、画像処理回路２０は、ＴＴＬ方式のＡＥ（自動露出）処理、ＥＦ処理、ＡＦ処理に用いる所定の演算を行っている。
【００９７】
なお、ここでの各処理は、撮影した全画素数のうちの必要に応じた特定の部分を必要個所分切り取って抽出し、演算に用いている。これにより、ＴＴＬ方式のＡＥ、ＥＦ、ＡＷＢ、ＡＦの各処理において、中央重点モード、平均モード、評価モードの各モード等の異なるモード毎に最適な演算を行うことが可能となる。
【００９８】
画像処理回路２０での演算結果を用いて、システム制御回路５０は、露出（ＡＥ）が適正と判断されるまで（ステップＳ５０２）、露光制御回路４０を用いてＡＥ制御を行う（ステップＳ５０３）。
【００９９】
ＡＥ制御で得られた測定データを用いて、システム制御回路５０は、フラッシュが必要か否かを判断し（ステップＳ５０４）、フラッシュが必要ならばフラッシュフラグをセットし、フラッシュ４０４を充電する（ステップＳ５０５）。
【０１００】
露出（ＡＥ）が適正と判断したならば（ステップＳ５０２でＹＥＳ）、測定データ及び或いは設定パラメータを、システム制御回路５０の内部メモリ或いはメモリ回路５２に記憶する。
【０１０１】
画像処理回路２０での演算結果及びＡＥ制御で得られた測定データを用いて、システム制御回路５０は、ホワイトバランス（ＡＷＢ）が適正と判断されるまで（ステップＳ５０６）、画像処理回路２０を用いて色処理のパラメータを調節してＡＷＢ制御を行う（ステップＳ５０７）。
【０１０２】
ホワイトバランス（ＡＷＢ）が適正と判断したならば（ステップＳ５０６でＹＥＳ）、測定データ及び或いは設定パラメータをシステム制御回路５０の内部メモリ或いはメモリ回路５２に記憶する。
【０１０３】
ＡＥ制御及びＡＷＢ制御で得られた測定データを用いて、システム制御回路５０は、測距（ＡＦ）が合焦と判断されるまで（ステップＳ５０８）、測距制御回路４２を用いてＡＦ制御を行う（ステップＳ５０９）。
【０１０４】
測距（ＡＦ）が合焦と判断したならば（ステップＳ５０８でＹＥＳ）、測定データ及び或いは設定パラメータをシステム制御回路５０の内部メモリ或いはメモリ回路５２に記憶し、測距・測光処理ルーチンステップＳ１１１を終了する。
【０１０５】
図６は、図２のステップＳ１１２で実行される撮影処理の手順を示すフローチャートである。
【０１０６】
図６において、システム制御回路５０は、固体撮像素子１５の電荷クリア動作を行った後に（ステップＳ６０１）、固体撮像素子１５の電荷蓄積を開始した後（ステップＳ６０２）、露光制御回路４０によって、シャッタユニット１４を開き（ステップＳ６０３）、固体撮像素子１５の露光を開始する（ステップＳ６０４）。
【０１０７】
ここで、フラッシュフラグによりフラッシュ４０４が必要か否かを判断し（ステップＳ６０５）、必要な場合はフラッシュ４０４を発光させる（ステップＳ６０６）。なお、フラッシュ４０４が使用不可能な場合はステップＳ６０７に進む。
【０１０８】
システム制御回路５０は、測光データに従って固体撮像素子１５の露光終了を待ち（ステップＳ６０７）、露光制御回路４０によって、シャッタユニット１４を閉じ（ステップＳ６０８）、固体撮像素子１５の露光を終了する。
【０１０９】
設定した電荷蓄積時間が経過したならば（ステップＳ６０９でＹＥＳ）、システム制御回路５０は、固体撮像素子１５の電荷蓄積を終了する（ステップＳ６１０）。固体撮像素子１５から電荷信号を読み出し、Ａ／Ｄ変換回路１６、画像処理回路２０、メモリ制御回路２２を介して、或いはＡ／Ｄ変換器１６から直接メモリ制御回路２２を介して、メモリ回路３０の所定領域へ撮影画像データを書き込む（ステップＳ６１１）。一連の処理を終えたならば、撮影処理ルーチンステップＳ１１２を終了する。
【０１１０】
図７は、図２のステップＳ１２５で実行される記録画像変更操作処理の第２の手順を示すフローチャート、図８（図８Ａ（ａ）乃至図８Ｂ（ｍ））は、図７のフローチャートにおける記録画像変更操作処理時の図１における画像表示部の表示画面を示す図である。
【０１１１】
撮影画角確認モードの場合、例えば、記録時の画像表示部２８が図８Ａ（ａ）の状態で撮影されると、電子ズーム画角、電子ズームに移行した際の焦点距離、ブレ補正処理の状態に基づき、レックレビューでは、図８Ａ（ｂ）のように表示される。図８Ａ（ｂ）の符号８０３は記録画像領域である。
【０１１２】
レックレビューが表示されている間の、記録画像を変更するための操作により、画像表示部２８には、図８Ａ（ｃ）のように操作のためのボタンが表示される。図８Ａ（ｃ）の符号８０２は全画面表示のための操作ボタンである。図８Ａ（ｃ）の符号８０３は後述する記録のための操作ボタンである。
【０１１３】
図７において、まず、傾き補正を行う設定か否かの判断を行う（ステップＳ７０１）。傾き補正を行う設定はカメラ設定メニューにて設定することが可能である。設定は、撮影前に予め設定を行うことも、記録画像変更処理時に行うことも可能である。
【０１１４】
傾き補正を行う場合は、撮影時に傾き検知回路５７が検知した撮像装置１００の傾きに応じて記録画像領域を図８Ａ（ｄ）のように傾けて表示する。図８Ａ（ｄ）の符号８０４は傾き補正をした際の記録画像領域である。
【０１１５】
傾けて表示する際に、撮影時の傾きが大きく、図８Ａ（ｅ）のように、記録画像領域が画面に入りきらない場合は、図８Ａ（ｆ）のように、記録画像領域を縮小し表示する。図８Ａ（ｅ）の符号８０５は、記録画像領域を縮小せずに設定した場合の画像領域である。図８Ａ（ｆ）の符号８０６は、画面に入るように、記録画像領域を縮小した時の記録画像領域である。
【０１１６】
図８Ａ（ｇ）のように、全体画像に入りきる場合は、図８Ｂ（ｈ）のように、正位置に補正して表示を行う。図８Ａ（ｇ）の符号８０７は、斜め補正した時の所定量だけ広い画像表示の際の、画像表示部２８に表示する画角である。図８Ａ（ｇ）の符号８０８は、斜め補正した時の記録画像領域である。
【０１１７】
図８Ａ（ｈ）は、全体画像から切り出した、所定量だけ広い画像表示を表示した時の画像表示部２８を示している。正位置に補正し表示を行うか行わないかは、ユーザが設定することも可能である。傾き補正を行わない場合は、図８Ａ（ｃ）のように、表示された状態でユーザは記録画像変更操作を行う。
【０１１８】
記録画像変更操作は、操作部７４にある記録画像領域移動のための上下、左右移動ボタン、記録画像サイズ変更のための拡大、縮小ボタン操作により行う。
【０１１９】
システム制御回路５０は、ユーザから記録画像領域変更操作が行われたか否かの判断を行う（ステップＳ７０３）。記録画像領域変更操作が行われた場合は、その操作に応じて記録画像領域を変更し（ステップＳ７０４）、記録画像をユーザに分かり易くするために変更した記録画像領域に応じて記録されない個所をグレーアウトして表示する（ステップＳ７０５）。
【０１２０】
記録画像変更操作が行われていない場合は、現在の設定されている記録画像領域に応じて、記録されない個所をグレーアウトして表示する（図３のステップＳ３０３）。傾き補正を行い、記録する位置及びサイズを変更した画像が、図８Ｂ（ｉ）である。図８Ｂ（ｉ）の符号８０９は、位置とサイズを変更した時の記録画像領域である。
【０１２１】
次に、現在設定されている記録画像領域を記録する操作が行われたか否かの判断を行う（ステップＳ７０６）。記録操作が行われた場合は、選択された領域の画像データを切り取り、メモリ回路３０へ保存する（ステップＳ７０７）。記録操作が行われなかった場合は、次に全体画像を表示しているか否かの判断を行う（ステップＳ７０８）。
【０１２２】
全体画像とは、電子ズームを行っていない画角での画像のことである。傾き補正を行う場合、全体画像は図８Ｂ（ｊ）のように表示される。図８Ｂ（ｊ）の符号８１０は、全体画像において傾き補正を行う場合での記録画像領域である。図８Ｂ（ｊ）の符号８１１は後述する全画面表示から、所定量だけ広い画像に表示を戻すために使用されるボタンである。
【０１２３】
傾き補正を行わない場合、全体画像は図８Ｂ（ｋ）のように表示される。図８Ｂ（ｋ）の符号８１２は、全体画像において傾き補正を行わない場合での記録画像領域である。この画面上でも、もちろん記録画像変更操作を行うことができる。
【０１２４】
傾き補正を行っている場合の画面が、図８Ｂ（ｌ）、傾き補正を行っていない場合の画面が図８Ｂ（ｍ）である。図８Ｂ（ｌ）の符号８１３は、傾き補正を行う場合でのサイズ、位置を変更した記録画像領域である。図８Ｂ（ｍ）の符号８１４は、傾き補正を行わない場合でのサイズ、位置を変更した記録画像領域である。このように全体画像表示を行うとユーザは記録画像をより広い範囲で選択することができる。
【０１２５】
全体画像を表示していない場合は、全体画像表示操作が行われたか否かの判断を行う（ステップＳ７０９）。全体画面表示は、前述した全画面表示のための操作ボタンを、ユーザが選択することにより行われる。全体画像表示操作が行われた場合は、全体画像表示を行う（ステップＳ７１０）。全体画像表示操作が行われていない場合は、所定量広い画像表示を続ける（ステップＳ７１１）。
【０１２６】
全体画像を表示している場合は、表示画像を所定量だけ広い画像へ戻す操作が行われたか否かの判断を行う（ステップＳ７１２）。この操作は前述した、所定量だけ広い画像へ戻すボタンを、ユーザが選択することにより行われる。戻す操作が行われた場合は、所定量広い画像を表示する（ステップＳ７１１）。元に戻す操作が行われなかった場合は、全体画像の表示を続ける（ステップＳ７１３）。
【０１２７】
次に、記録画像変更操作終了が選択されたか否かの判断を行う（ステップＳ７１４）。記録画像変更操作終了が選択されていなければ、記録画像変更操作が行われたか否かの判断に戻る（ステップＳ７０３）。記録画像変更操作終了が選択されていれば、記録画像変更操作を終了する。
【０１２８】
なお、上記説明では記録媒体２００への記録指示を行うことを説明した。この点、ネットワークを介してネットワーク上のサーバーへの画像データの蓄積を指示するようにしてもよい。
【０１２９】
本発明の撮像装置は、撮像素子からの出力に基づく撮影画像を表示する表示手段と、撮影画像の記録を指示する指示手段と、撮影画像の表示の範囲を決定する決定手段とを備える。また、指示手段による記録の指示に伴って、表示手段に当該指示の前に表示していた第１の画角の範囲よりも大きい第２の画角の範囲の画像を表示する制御手段を備える。
【０１３０】
ここで、決定手段は、画像撮影時の画像の拡大量に基づき撮影画像の表示の範囲を決定する。また、決定手段は、画像撮影時の画像の拡大を開始した焦点距離に基づき撮影画像の表示の範囲を決定する。また、決定手段は、画像撮影時のブレ補正の状態に基づき撮影画像の表示の範囲を決定する。
【０１３１】
この構成により、所期の目的を達成する。
【０１３２】
また、本発明の目的は、前述した実施形態の機能を実現するソフトウェアのプログラムコードを記録した記憶媒体を、システムあるいは装置に供給しても達成可能である。すなわち、そのシステムあるいは装置のコンピュータ（またはＣＰＵやＭＰＵ）が記憶媒体に格納されたプログラムコードを読出し実行することによっても、達成されることは言うまでもない。この場合、記憶媒体から読出されたプログラムコード自体が前述した実施形態の機能を実現することになり、そのプログラムコードを記憶した記憶媒体は本発明を構成することになる。
【０１３３】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性の半導体メモリカード、ＲＯＭなどを用いることができる。また、コンピュータが読出したプログラムコードを実行することにより、前述した実施形態の機能が実現される場合もある。
【０１３４】
しかし、さらにそのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【０１３５】
さらに、記憶媒体から読出されたプログラムコードが、コンピュータに挿入された機能拡張ボードやコンピュータに接続された機能拡張ユニットに備わるメモリに書込まれる場合もあり得る。その後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【図面の簡単な説明】
【０１３６】
【図１】本発明の実施の形態に係る撮像装置の全体構成を示すブロック図である。
【図２Ａ】図１の撮像装置によって実行される全体制御処理の手順を示すフローチャートである。
【図２Ｂ】図１の撮像装置によって実行される全体制御処理の手順を示すフローチャートである。
【図３】図２のステップＳ１２５で実行される記録画像変更操作処理の第１の手順を示すフローチャートである。
【図４】図３のフローチャートにおける記録画像変更操作処理時の図１における画像表示部の表示画面を示す図である。
【図５】図２のステップＳ１１１で実行される測距・測光処理の手順を示すフローチャートである。
【図６】図２のステップＳ１１２で実行される撮影処理の手順を示すフローチャートである。
【図７】図２のステップＳ１２５で実行される記録画像変更操作処理の第２の手順を示すフローチャートである。
【図８Ａ】図７のフローチャートにおける記録画像変更操作処理時の図１における画像表示部の表示画面を示す図である。
【図８Ｂ】図７のフローチャートにおける記録画像変更操作処理時の図１における画像表示部の表示画面を示す図である。
【符号の説明】
【０１３７】
２８  画像表示部（表示手段）
３０、５２  メモリ回路（記録手段）
５０  システム制御回路（制御手段、決定手段、傾き補正手段）
５７傾き検知回路（傾き検知手段）
７４  操作部（指示手段、傾き補正手段）
【図１】
2008227871.tif 000003
【図２Ａ】
2008227871.tif 000004
【図２Ｂ】
2008227871.tif 000005
【図３】
2008227871.tif 000006
【図４】
2008227871.tif 000007
【図５】
2008227871.tif 000008
【図６】
2008227871.tif 000009
【図７】
2008227871.tif 000010
【図８Ａ】
2008227871.tif 000011
【図８Ｂ】
2008227871.tif 000012